(57)【要約】本発明は２種類の無線サービスを稼働させる、すなわち、バースト相互間の時間的間隔が既知であるバースト内で信号をブロードキャストする第１サービス、および少なくとも第１パートナーと第２パートナーとの間で信号を伝送する第２サービスを稼働させる方法および装置に関するものである。本発明により解決すべき課題は、ユーザーが少なくとも２つのサービスのアプリケーションを同時に同一の装置で使用可能にすることである。この課題は１個の同一装置によって解決し、この装置は、第１サービスの第１モードにおいてバーストを受信し、また第１サービスのバースト相互間における時間中に、第１サービスのモードから第２サービスのモードに切り替える。
2009503926.tif 000002
【特許請求の範囲】
【請求項１】
２種類の無線サービスを動作させる、すなわち、バースト相互間の時間的間隔が既知であるバースト内で信号をブロードキャストする第１サービス、および少なくとも第１パートナーと第２パートナーとの間で信号を伝送する第２サービスを動作させる無線サービス運用方法において、１個の同一装置は、前記第１サービスの第１モードにおいてバーストを受信し、また前記第１サービスの前記バースト相互間における期間中に、前記第１モードから前記第２サービスのモードに切り替えられるようにしたことを特徴とする方法。
【請求項２】
請求項１に記載の方法において、２種類双方の前記サービスを、ＯＦＤＭ変調方式に基づいて運用し、前記第１サービスをＤＶＢ‐Ｈサービスとして実行し、前記第２サービスを無線ＬＡＮサービスとして実行し、前記装置が、次のバーストを受信するまでの時間差情報を有するＤＶＢ‐Ｈバーストを受信し、前記ＤＶＢ‐Ｈバースト相互間の期間中に、無線ＬＡＮモードからＤＶＢ−Ｈモードに切り替えることで、ＤＶＢ−Ｈモードおよび無線ＬＡＮモードでの運用を行うようにしたことを特徴とする方法。
【請求項３】
請求項２に記載の方法において、前記第１パートナーとしての前記装置と、前記第２パートナーとしてのアクセスポイントとのデバイス相互間の無線ＬＡＮ通信トラフィックを、前記ＤＶＢ‐Ｈモードに切り替えるようにすることを特徴とする方法。
【請求項４】
請求項２に記載の方法において、前記第１パートナーとしての前記装置は、前記ＤＶＢ‐Ｈバースト相互間のインターバル中に、前記第２パートナーとしてのアクセスポイントとデータを交換し、また前記ＤＶＢ‐Ｈモードに切り替える前に電源管理ビットを送信することにより無線ＬＡＮの省電力モードを可能にするとともに、前記電源管理ビットは、前記アクセスポイントが前記装置に対する全ての保留パケットをバッファして、前記装置に対してビーコン内の通信トラフィック表示マップ（ＴＩＭ）領域における保留パケットに関して通知することを可能にし、また、前記ＤＶＢ‐Ｈバーストの受信が終わった後に、前記装置は無線ＬＡＮ動作モードに復帰し、次のビーコン受信を待機して、保留データがあることを前記アクセスポイントが示した場合、前記装置は、前記アクセスポイントから確認応答を得る必要があるＰＳポールフレームを送信して、この後前記アクセスポイントが、全ての保留データを直ちにまたは間をおいて前記装置に送信するようにしたことを特徴とする方法。
【請求項５】
請求項４に記載の方法において、前記電源管理ビットを、パケットに入れて送信して、フレーム制御フィールドで有効となるようにしたことを特徴とする方法。
【請求項６】
２種類の無線サービスが動作する、すなわちバースト相互間の時間的間隔が既知であるバースト内で信号をブロードキャストする第１サービス、および少なくとも第１パートナーと第２パートナーとの間で信号を伝送する第２サービスが動作する装置において、前記装置は、前記第１サービスの第１モードにおいてバーストを受信する第１手段と、信号を受信および送信する第２手段と、前記第１サービスの前記バースト相互間における期間中に、前記第１モードから前記第２サービスのモードに切り替える切替手段とを備えたことを特徴とする装置。
【請求項７】
請求項６に記載の装置において、前記第１手段はＤＶＢ‐Ｈの動作に適し、前記第２手段は無線ＬＡＮの動作に適するとともに、ＤＶＢ‐Ｔ／Ｈチューナおよび無線ＬＡＮトランシーバの双方を備え、これらＤＶＢ−Ｔ／Ｈチューナおよび無線ＬＡＮトランシーバの双方を、無線ＬＡＮプロトコルスタック、ＤＶＢ‐Ｈプロトコルスタック、ならびに前記切替手段を含むコンボベースバンド装置に接続したことを特徴とする装置。
【請求項８】
請求項６に記載の装置において、前記第１手段はＤＶＢ‐Ｈの動作に適し、前記第２手段は無線ＬＡＮの動作に適するとともに、ＤＶＢ‐Ｔ／Ｈチューナの受信部、無線ＬＡＮトランシーバの受信部およびこの無線ＬＡＮトランシーバの送信部を有するコンボＲＦ装置を備えるものとし、このコンボＲＦ装置を、無線ＬＡＮプロトコルスタック、ＤＶＢ‐Ｈプロトコルスタック、ならびに前記切替手段を含むコンボベースバンド装置に接続したことを特徴とする装置。
【請求項９】
請求項７または８に記載の装置において、前記コンボベースバンド装置に、前記無線ＬＡＮプロトコルおよび前記ＤＶＢ‐Ｈプロトコルの両方を稼働させるプロトコルプロセッサを設けたことを特徴とする装置。
【請求項１０】
請求項７または８に記載の装置において、前記コンボベースバンド装置に、前記ＤＶＢ‐Ｈプロトコルを稼働させる第１プロトコルプロセッサ、および前記無線ＬＡＮプロトコルを稼働させる第２プロトコルプロセッサを設けたことを特徴とする装置。
【請求項１１】
請求項６〜１０のうちいずれか一項に記載の装置において、当該装置は、ＤＶＢ‐Ｈのタイミングおよび無線ＬＡＮビーコンのタイミングを追跡するための共通タイマを備えたことを特徴とする装置。
【請求項１２】
請求項６〜１０のうちいずれか一項に記載の装置において、当該装置は、ＤＶＢ‐Ｈのタイミングを追跡し続けるのに使用するタイマと、無線ＬＡＮビーコンのタイミングを追跡し続けるのに使用するタイマと、および双方のタイマを同期させる手段とを備えることを特徴とする装置。
【発明の詳細な説明】
【技術分野】
【０００１】
本発明は２種類の無線サービスを動作させる、すなわちバースト相互間の時間的間隔が既知であるバースト内で信号をブロードキャストする第１サービス、および少なくとも第１パートナーと第２パートナーとの間で信号を伝送する第２サービスを動作させる無線サービス運用方法に関する。
【０００２】
本発明は、さらに、２種類の無線サービスが動作する、すなわちバースト相互間の時間的間隔が既知であるバースト内で信号をブロードキャストする第１サービス、および少なくとも第１パートナーと第２パートナーとの間で信号を伝送する第２サービスが動作する装置に関する。
【背景技術】
【０００３】
無線ローカルエリアネットワーク（無線ＬＡＮ）装置がますます展開され、オフィス、ホームおよび公共施設での新しい無線インフラ、例えば無線インターネットサービスポイント（ＩＳＰｓ）への道が整備されてきた。これらの装置は、最近承認されたＩＥＥＥ８０２．１１ｇ規格に従うものであり、この規格はＩＥＥＥ８０２．１１規格を（主に物理レイヤに関して）拡張したである。さらに、いわゆるインフラモードに加えて、これらの装置はアドホックモードもサポートする。アドホックモードは、アクセスポイントがない場合に、付加的なピアツーピア通信を提供する。無線ＬＡＮモデム装置は現在、高速インターネットアクセスおよびボイスオーバーＩＰ（ＶｏＩＰ）アプリケーション用の高性能携帯電話プラットフォームに組み込まれてきている。数年以内に、無線ＬＡＮができる装置の市場シェアは大きくなると予想される。
【０００４】
ＤＶＢ‐Ｈ（デジタルビデオブロードキャスティング‐携帯端末）は、デジタルテレビジョン（ＴＶ）を移動携帯端末に実現する最も有望な規格である。ＤＶＢ‐Ｈは、既存のＤＶＢ−Ｔ（デジタルビデオブロードキャスティング‐地上波）規格およびそのＩＰ（インターネットプロトコル）データ放送モードに基づいており、モバイル機器に対する利点は、ＭＰＥＧトランスポートストリーム（ＴＳ）パケット（物理レイヤに対するインタフェース）を知的（インテリジェント）にグループ化することにある。ＤＶＢ‐Ｈにおいて、移動携帯端末に対する最大の利点は、あるＩＰデータストリームに属するＭＰＥＧ‐ＴＳパケットをグループ化して連続的にバーストを形成することにある。いわゆるタイムスライス情報をバーストごとに入れて、（現バーストから）次のバーストの送信までの相対時間をレシーバに通知する。このとき、レシーバは、適当なタイマをセットしてレシーバをオフ状態に切り替え、これによりそのオン状態の時間を９０％以上減少させ、電力消費を大幅に節約することができる。
【０００５】
現在、市場からの強い関心は、携帯電話プラットフォームにもＤＶＢ‐Ｈを備えることにあると見られている。また、高性能プラットフォームは、まずテレビ受信が可能なものとなり、それらのプラットフォームは無線ＬＡＮおよびモバイルデジタルテレビを有することになるであろう。
【０００６】
無線ＬＡＮとＤＶＢ‐Ｈレシーバとの間には、レシーバアーキテクチャにおけるのと同様のシステム要件、および類似性があるが、双方のアプリケーションを同時に実行する、例えば無線ＬＡＮ接続しながら同時にデジタルモバイルテレビを見ることは不可能である。ボイスオーバーインターネットプロトコル（ＶｏＩＰ）では、とくに、ＴＶｏＭおよび無線ＬＡＮの同時動作は不可欠である。映画を見ているユーザーは、少なくとも着信を通知されることを要望する。
【０００７】
ボイスオーバーＩＰは、ますます重要になっており、若干の携帯電話ネットワークプロバイダは現在、無線ＬＡＮのＶｏＩＰが使用できるホットスポットを所有するネットワークプロバイダに、携帯電話ネットワークのユーザーを自動的に委譲して、携帯電話ネットワークへの負荷を減少するネットワークアーキテクチャを開発している。
【０００８】
同時平行的な動作を必要とする他のアプリケーションによれば、ユーザーがＴＶを見ている間に、無線ＬＡＮから新たに着信した電子メールをダウンロードおよび／または通知することが可能となる。
【発明の開示】
【発明が解決しようとする課題】
【０００９】
本発明が解決しようとする課題は、ユーザーが少なくとも２種類のサービスにおけるアプリケーションを同時に同一装置で使用可能にするということにある。
【課題を解決するための手段】
【００１０】
この課題は、請求項１に記載の方法により解決される。さらに、この方法の他の実施形態を、請求項２〜５に記載する。
【００１１】
本発明方法において、１個の同一装置は、第１サービスの第１モードにおいてバーストを受信し、また第１サービスのバースト相互間における期間中、第１モードから第２サービスのモードに切り替えられるようにする。とくに、双方のサービスはＯＦＤＭ変調方式に基づき、第１サービスをＤＶＢ‐Ｈサービスとして実行し、第２サービスを無線ＬＡＮサービスとして実行する。これにより、装置は、次のバーストを受信するまでの時間差情報を有するＤＶＢ‐Ｈバーストを受信し、これにより、ＤＶＢ‐Ｈのバースト相互間における期間中、無線ＬＡＮモードからＤＶＢ−Ｈモードに切り替えることにより、ＤＶＢ−Ｈモードおよび無線ＬＡＮモードでの動作をもたらす。
【００１２】
ＩＥＥＥ８０２．１１ａ規格、またはＩＥＥＥ８０２．１１ｇのＯＦＤＭモードに従う無線ＬＡＮ受信用の集積回路は、ＤＶＢ‐Ｔレシーバとかなりの共通性を有しており、以下に説明する。
【００１３】
‐無線ＬＡＮおよびＤＶＢ‐Ｔの双方（および、ＤＶＢ‐Ｔに準拠するのでＤＶＢ‐Ｈも）は、主要な変調方式としてＯＦＤＭを使用する。無線ＬＡＮのＯＦＤＭ信号のバンド幅（１６ＭＨｚ）と、ＤＶＢ‐Ｔのバンド幅（８，７または６ＭＨｚ）は、同じオーダーである。
【００１４】
‐最近の無線ＬＡＮにおけるＲＦレシーバの大部分は、直接変換方式に基づいている。モバイル端末におけるテレビ（ＴＶｏＭ）に対しても、電力上の理由から同じ概念を用いる。無線ＬＡＮに適した直接変換ＲＦレシーバも、ＵＨＦ／ＶＨＦ周波数をサポートするよう調整した局部発振器、および８ＭＨｚ〜６ＭＨｚの信号に対する付加的なローパスフィルタを有して、ＤＶＢ‐Ｔ／Ｈ受信を行うことができる。これら付加的なフィルタはデジタル領域に実施できることに注意されたい。
【００１５】
‐無線ＬＡＮおよびＤＶＢ‐Ｔの双方のシステムは、ＯＦＤＭを６４ＱＡＭまでのコンスタレーションで使用する。測定可能な損失がなく信号をサンプリングするために、アナログ−デジタル変換器に必要な分解能はほぼ同一である。信号のバンド幅に起因するサンプリングレートも同じ値である。同一のＡＤＣ（アナログ−デジタル変換）技術を無線ＬＡＮおよびＤＶＢ‐Ｔ／Ｈ受信の双方に使用する可能性もある。
【００１６】
‐無線ＬＡＮのＯＦＤＭ変調は、６４ポイントの高速フーリエ変換（ＦＦＴ）に基づく一方で、ＤＶＢ‐Ｔでは、２０４８および８１９２ポイントのＦＦＴを使用する。ＤＶＢ‐Ｈでは、さらに４０９６ポイントのＦＦＴを使用するモードを提供する。システム分析により、レシーバの信号処理条件は、無線ＬＡＮシステムおよび８ＭＨｚのサンプル用のＤＶＢ‐Ｔ／Ｈレシーバ極めて類似していることが分かった。無線ＬＡＮシステムの高域バンド幅は、ＦＦＴを計算するに必要とされる計算より少ない計算量で補償される。ベースバンドプロセッサがプログラム可能なアーキテクチャ、例えばデジタル信号処理プロセッサ（ＤＳＰ）に基づく場合、双方のシステムを同一のＤＳＰコアに割り当てることができる。
【００１７】
チャネルデコーディングに必要な論理が類似しているのは明らかである。双方のシステムは、デパンクチャリングユニットおよび畳み込みデコーダが追従するデインターリーバ（一般的にはビタビプロセッサ）を使用している。同一の畳み込み符号を、ＩＥＥＥ８０２．１１ａ／ｇおよびＤＶＢ‐Ｔ／Ｈの双方で使用するので、ビタビプロセッサでも再利用できる。
【００１８】
標準マイクロコントローラのプロトコル条件は、ＤＶＢ‐Ｈと無線ＬＡＮとの間におけるのと類似した複雑性を有する。
【００１９】
無線ＬＡＮを通じて、アクセスポイントとコンボ無線ＬＡＮ／ＤＶＢ‐Ｈレシーバとの間でデータを送信すべき場合、装置は、時間の９０％以上にわたるＤＶＢ‐Ｈのバースト相互間におけるインターバル中に、データを送信する。装置は、いつ次のＤＶＢ‐Ｈバーストを受信するか「知っている」ので、フレーム制御フィールドで有効な電力管理ビットを有するパケット、例えばＤＶＢ‐Ｈモードに切り替える前に使用可能な電力管理ビットを有する空のデータフレームを送信することで、無線ＬＡＮの省電力モードを有効にできる。あるガードタイム（保護時間）を特定して、メッセージを切り替え前に確実に送信することができる。この期間中に、無線ＬＡＮのアクセスポイントは、装置への全ての保留パケットをバッファし、装置に対してビーコン中の通信量（トラフィック）表示マップ（ＴＩＭ）領域における保留パケットを通知する。
【００２０】
ＤＶＢ‐Ｈバーストの受信が終わった後、コンボ装置は無線ＬＡＮの動作に復帰するよう切り替えて、次のビーコン受信に待機する。保留データがあることをアクセスポイントが示した場合、コンボレシーバはＩＥＥＥ８０２．１１で規定された手順を継続し、すなわち装置は、ＡＰから確認応答を得ることを必要とするＰＳポールフレームを送信する。この後、ＡＰは直ちにまたは間をおいた期間で全ての保留データを送信する。
【００２１】
前記課題は、請求項６に記載の装置によっても解決される。この装置の他の実施形態を、請求項７〜１２に記載する。
【００２２】
本発明装置は、第１サービスの第１モードにおいてバーストを受信する第１手段と、信号を受信および送信する第２手段と、第１サービスのバースト相互間における期間中に、第１モードから第２のサービスのモードに切り替える切替手段とを有する。とくに、第１手段はＤＶＢ‐Ｈの動作に適し、第２手段は無線ＬＡＮの動作に適するとともに、ＤＶＢ‐Ｔ／Ｈチューナおよび無線ＬＡＮトランシーバの双方を備え、これらＤＶＢ−Ｔ／Ｈチューナおよび無線ＬＡＮトランシーバの双方を、無線ＬＡＮプロトコルスタック、ＤＶＢ‐Ｈプロトコルスタック、ならびに切替手段を含むコンボベースバンド装置に接続する。さらに代案として、第１手段はＤＶＢ‐Ｈの動作に適し、第２手段は無線ＬＡＮの動作に適するとともに、ＤＶＢ‐Ｔ／Ｈチューナの受信部、無線ＬＡＮトランシーバの受信部およびこの無線ＬＡＮトランシーバの送信部を有するコンボＲＦ装置を備えるものとし、このコンボＲＦ装置を、無線ＬＡＮプロトコルスタック、ＤＶＢ‐Ｈプロトコルスタック、ならびに切替手段を含むコンボベースバンド装置に接続する。
【００２３】
本発明を使用する移動携帯端末用の典型的なＤＶＢ‐Ｈ／無線ＬＡＮのコンボレシーバは、無線ＬＡＮでは省電力モードを用いて電力消費を減少する。保留中の通信が全くない場合、無線ＬＡＮの省電力モード中に、コンボレシーバは短時間だけ容易にＤＶＢ‐Ｈモードに切り替えて、ＤＶＢ‐Ｈモードをキャプチャすることができる。
【００２４】
次のＤＶＢ‐Ｈバーストを事前にレシーバに知らせているので、レシーバは、ＤＶＢ‐Ｈチャネルに切り替えて次のバーストをキャプチャすることができるとともに、それ以外では、すなわちバースト相互間では無線ＬＡＮをサポートするよう作用する。
【００２５】
無線ＬＡＮとＤＶＢ‐Ｔ／Ｈとの間におけるシステム要件における共通性により、レシーバを類似のアーキテクチャに割り付けることが可能である。これらアーキテクチャに基づいて、これらアーキテクチャの若干部分（ＲＦ、例えばミキサー、ＡＤＣ、ＢＢ、例えば信号プロセッサ）を、双方のアプリケーション間で共有し、コストの面で有効な組み合わせ（コンボ）解決策が可能となり、ＤＶＢ‐Ｔまたは無線ＬＡＮをサポートできる。低コストの加算器（できるだけ低い５パーセント程度のシリコン面積増加がある）のみを有するＤＶＢ‐Ｈベースバンドプロセッサを、無線ＬＡＮを代替的にサポートできるように構成することができる。これら組み合せ（コンボ）解決策は、無線ＬＡＮおよびＤＶＢ‐Ｈを同一装置内で必要とするであろうコストセンシティブな（コストの影響を受け易い）移動携帯端末市場に理想的なものとなりえる。無線ＬＡＮとＤＶＢ‐Ｈレシーバとの間にはレシーバアーキテクチャと類似を有するシステム要件によって、同一装置で双方の標準がサポートされている場合、レシーバの若干部分を共有してコストおよびサイズを減少することができる。
【００２６】
一般的には、本発明によれば、双方のアプリケーションをサポートするよう同一アーキテクチャまたはアーキテクチャの一部を再利用する場合に、ＤＶＢ‐Ｈ受信または無線ＬＡＮのいずれか一方しかサポートしない場合における問題をも解決する。
【００２７】
これは、ＤＶＢ‐Ｈのバースト性質を利用するとともに、特にＩＥＥＥ８０２．１１で規定される省電力モードを使用することにより実行される。本発明を使用する場合、コンボ装置は途切れることなく無線ＬＡＮおよびＤＶＢ‐Ｈ受信をサポートすることができる。映画を見ているユーザーにも、ＶｏＩＰ電話の着信や電子メールの受信を通知することができる。ユーザーは、無線ＬＡＮネットワーク上でダウンロード／アップロードが完了するのを待つ間に、テレビを見ることができる。それでも、コンボ装置は、２台のスタンドアロン装置、すなわち無線ＬＡＮのネットワーク装置および移動デジタルテレビレシーバを個別に所有するよりもコスト節約を維持できる。
【００２８】
以下に本発明を、より詳細に実施例に従って説明する。
【実施例１】
【００２９】
図１に示すように、装置１は、ＤＶＢ‐Ｔ／Ｈチューナ２および無線ＬＡＮトランシーバ３を有し、これらＤＶＢ‐Ｔ／Ｈチューナ２および無線ＬＡＮトランシーバ３をコンボベースバンド装置４に接続し、このコンボベースバンド装置４は、無線ＬＡＮ＋ＤＶＢ‐Ｈソフトウェア５として示した、無線ＬＡＮプロトコルスタックおよびＤＶＢ‐Ｈプロトコルスタックを有する。
【００３０】
ベースバンド信号または低中周波数（ＩＦ）信号を誘導するＤＶＢ‐Ｔ／Ｈチューナ２の出力を、ＤＳＰ（デジタル信号プロセッサ）７を有するＡＤＣ（アナログ−デジタル変換器）６に接続する。
【００３１】
無線ＬＡＮトランシーバ３の送信入力Ｔｘ８を、ＤＡＣ（デジタル−アナログ変換器）９を経てＤＳＰ７に接続する。また、無線ＬＡＮトランシーバ３の受信出力Ｒｘ１０を、ＡＤＣ１１を経てＤＳＰ７に接続する。
【００３２】
ＤＳＰ７をマイクロコントローラ１２により制御する。
【００３３】
ＡＤＣ６、ＡＤＣ１１、ＤＡＣ９、ＤＳＰ７およびマイクロコントローラ１２を、コンボベースバンド装置４として構成する。コンボベースバンド装置４自体を、ホストプロセッサ１３に接続する。
【実施例２】
【００３４】
図２は、コンボＲＦ装置１４をＤＳＰ７に接続した他の実施例を示す。コンボＲＦ装置１４に、ＤＶＢ‐Ｔ／Ｈチューナの受信部Ｒｘ１５、無線ＬＡＮトランシーバの受信部および無線ＬＡＮトランシーバの送信部Ｔｘ１６を設ける。コンボＲＦ装置１４を、上述の実施例と同様に、コンボベースバンド装置４に接続する。
【００３５】
無線ＬＡＮの待機中に同時発生するＤＶＢ‐Ｈを受信する、無線ＬＡＮ／ＤＶＢ−Ｈコンボ装置１の時差相関を図３に示す。
【００３６】
第１ライン１７は、捕捉（キャプチャ）すべきＤＶＢ‐Ｈバースト１８のタイミングを示す。第２ライン１９は、アクセスポイント（図示せず）から送信されたビーコン２０を示す。第３ライン２１は、装置１が稼働しているモードを示す。無線ＬＡＮアクセスポイントからのビーコン２０を、ＤＶＢ−Ｈバーストの受信中には受信しない。
【００３７】
データが、無線ＬＡＮを通じてアクセスポイントと装置１との間で送信される場合、装置１はＤＶＢ‐Ｈバースト１８相互間の時間的間隔における９０％以上にわたる時間にわたり、データを送信することができる。装置１は、いつ次のＤＶＢ‐Ｈバースト１８を受信するか知っているので、上述したように、フレーム制御フィールド（図示せず）で有効となる電力管理ビットを有するパケットを送信することにより、無線ＬＡＮの省電力モードを可能にする。
【００３８】
上述のように、ＤＶＢ‐Ｈの重要なアイデアは、ＤＶＢ‐Ｔチャネル上で、バースト内におけるＩＰでカプセル化した圧縮ビデオを送信することにより、ＤＶＢ‐Ｔレシーバの「オン状態」の時間を減少することである。いわゆるタイムスライス情報を含むことにより、レシーバに次のバーストを受け取る予想時間を知らせる。必要とする「オン状態」時間は、連続受信の場合と比較して１０％未満である。ＤＶＢ‐Ｈの実施要綱（ガイドライン）では、バースト相互間の時間間隔は５秒、移動通信における圧縮ビデオ用の正味ビットレートは６４〜３８４ｋｂｉｔ／ｓを推奨しているので、バースト持続時間は、数十〜数百ミリ秒の範囲である。
【００３９】
以下の表は、８ＭＨｚのＤＶＢ‐Ｈチャネル、バースト間隔５秒間とし、バースト内で全てのＭＰＥＧ−ＴＳパケットを連続的に送信すると仮定した場合の種々の変調方式およびガードインターバルΔ／ＴＵに関して、３８４ｋｂｐｓのバースト持続時間のリストを示す。
【００４０】
【表１】
2009503926.tif 000003
【００４１】
上記の持続時間は、同期をとることを目的とした２５個のシンボルのオーバーヘッドを含む。最大の持続時間はＱＰＳＫのレートが１／２のときに見られると分かる。１６ＱＡＭでは、最大の持続時間は２０７ｍｓである。
【００４２】
移動携帯端末で使用される典型的な無線ＬＡＮ装置は、無線ＬＡＮの省電力モードを多く利用する。節電中は、ＤＴＩＭビーコン、すなわち一般的には１００ｍｓのビーコン間隔でｎ番目ごとにビーコンを、捕捉する必要があるだけである。モバイル機器では電力消費を減少するために、ＤＴＩＭ周期を１秒のオーダーにすることが現在提案されている。
【００４３】
装置１、すなわちＤＶＢ‐Ｈおよび無線ＬＡＮのコンボレシーバは、無線ＬＡＮおよびＤＶＢ‐Ｈ間を迅速に切り替え、また同一のプロセッサまたは個別のプロトコルプロセッサのいずれかにおいて、双方のプロトコルスタックをアクティブにすることができなければならない。
【００４４】
ＤＶＢ‐Ｈのタイミングを追跡するのに使用するタイマ、および無線ＬＡＮビーコンのタイミングを追跡するのに使用するタイマの間で、共通のタイマ（図示せず）または同期化が不可欠である。
【００４５】
無線ＬＡＮの受信モードが待機（スタンバイ）状態にある場合、ＤＴＩＭビーコン２０のみを受信する必要がある。同様に、ＤＶＢ‐Ｈではレシーバは、時間の１０％未満のみオン状態であればよい。本発明の主な原理は、ＤＶＢ‐Ｈがオフ状態である時間中に、無線ＬＡＮ受信に切り替えることである。ビーコン２０がＤＶＢ‐Ｈバースト１８の受信と衝突する場合は、ＤＶＢ‐Ｈバースト１８の受信を優先させる。
【００４６】
無線ＬＡＮシステムは、フォールトトレラントである。無線ＬＡＮアクセスポイントが、ビーコンのＴＩＭ領域（図示せず）で信号化されたなんらかの保留メッセージを有していて、無線ＬＡＮ装置がこの信号に応答しない場合、アクセスポイントにおいてタイムアウト値に達するまでは、保留メッセージフラグを次のビーコン中に送信することを単に繰り返す。タイムアウト値は、アソシエーション中にそのステーションから送られた信号のリッスン間隔により制御できる。ＤＶＢ‐Ｈのバースト長は最大でもわずか数ビーコン周期にしかわたらないので、アクセスポイントがタイムアウトする前に、装置は保留パケットの通知を受信する可能性は高い。
【図面の簡単な説明】
【００４７】
【図１】ＤＶＢ‐Ｔ／Ｈチューナおよび無線ＬＡＮトランシーバを個別に有する本発明装置の略図を示す。
【図２】コンボＲＦ装置を有する本発明装置の略図を示す。
【図３】無線ＬＡＮの待機（スタンバイ状態）中に同時発生するＤＶＢ‐Ｈを受信する、無線ＬＡＮ／ＤＶＢ‐Ｈコンボ装置の時差相関を示す。
【符号の説明】
【００４８】
１  装置
２  ＤＶＢ−Ｔ／Ｈチューナ
３  ＬＡＮトランシーバ
４  コンボベースバンド装置
５  無線ＬＡＮ＋ＤＶＢ−Ｈソフトウェア
６  ＡＤＣ
７  ＤＳＰ
８  送信入力Ｔｘ
９  ＤＡＣ
１０  受信出力Ｒｘ
１１  ＡＤＣ
１２  マイクロコントローラ
１３  ホストプロセッサ
１４  コンボＲＦ装置
１５  受信部Ｒｘ
１６  送信部
１７  第１ライン
１８  ＤＶＢ‐Ｈバースト
１９  第２ライン
２０  ビーコン
２１  第３ライン
【図１】
2009503926.tif 000004
【図２】
2009503926.tif 000005
【図３】
2009503926.tif 000006
【国際調査報告】
2009503926.tif 000007
2009503926.tif 000008
2009503926.tif 000009